(57)【要約】【課題】簡単な構成で操作性に優れ、高い防音性を有する引戸型防音扉を提供することを課題とする。【解決手段】扉本体１の上辺１ａの天井面１ｅに取り付けられ、開閉方向の後尾部分から先頭部分に近づくにつれて、鉛直方向の厚さが減少するようにくさび状をなした第１のゴムシール３ａと、固定枠部２に配設され第１のゴムシール３ａと同一角度のくさび状をなす第１のシール面２ａと、扉本体１の下辺１ｂの一方の側面１ｆに取り付けられ、扉本体１の開閉方向の後尾部分から先頭部分に近づくにつれて、水平方向の厚さが減少するようにくさび状をなした第２のゴムシール３ｂと、固定枠部２に配設され第２のゴムシール３ｂと同一角度のくさび状をなす第２のシール面２ｂとを備え、扉本体１の閉位置において第１のゴムシール３ａと第１のシール面２ａが当接して密着し、第２のゴムシール３ｂと第２のシール面２ｂが当接して密着することを特徴とする。【選択図】図２
2015010383.tif 000002
【特許請求の範囲】
【請求項１】
引戸型の防音扉であって、
扉本体の上辺の天井面に取り付けられ、上記扉本体の開閉方向の後尾部分から先頭部分に近づくにつれて、鉛直方向の厚さが減少するようにくさび状をなした第１のゴムシールと、
上記第１のゴムシールに対向して上記扉の固定枠部に配設され、上記扉本体の開位置から閉位置に近づくにつれて、上記第１のゴムシールとの当接面が上記扉本体の上辺に接近する方向に傾いて上記第１のゴムシールと同一の傾斜角のくさび状をなす第１のシール面と、
上記扉本体の下辺に沿った一方の側面に取り付けられ、上記扉本体の開閉方向の後尾部分から先頭部分に近づくにつれて、水平方向の厚さが減少するようにくさび状をなした第２のゴムシールと、
上記第２のゴムシールに対向して上記扉の固定枠部に配設され、上記扉本体の開位置から閉位置に近づくにつれて、上記第２のゴムシールとの当接面が上記扉本体の下辺に沿った側面に接近する方向に傾いて上記第２のゴムシールと同一の傾斜角のくさび状をなす第２のシール面
を備え、
上記扉本体の閉位置において、上記第１のゴムシールと上記第１のシール面が当接して密着し、上記第２のゴムシールと上記第２のシール面が当接して密着する、
ことを特徴とする防音扉。
【請求項２】
上記扉本体の下辺に沿った両側の側面の各々一方に１つずつ取り付けられ、上記扉本体の開閉方向の後尾部分から先頭部分に近づくにつれて、水平方向の厚さが減少するようにくさび状をなした２か所の第２のゴムシールと、
上記第２のゴムシールの各々に対向して上記扉の固定枠部に各々配設され、上記扉本体の開位置から閉位置に近づくにつれて、２か所の第２のゴムシールとの当接面が上記扉本体の下辺に沿った両側面に接近する方向に傾いて２か所の上記第２のゴムシールの各々と同一の傾斜角のくさび状をなす２か所の第２のシール面を備える、
ことを特徴とする請求項１に記載の防音扉。
【発明の詳細な説明】
【技術分野】
【０００１】
本発明は、引戸型防音扉に関する。
【背景技術】
【０００２】
防音扉には色々な方式のものがあるが、引戸型の防音扉は閉状態で扉本体の面と垂直方向の力を加える構成とすることが片開きの横回転型の防音扉に比べて困難であり、防音のためのシール装置のシール部をいかに密着させるかが大きな課題となっている。
【０００３】
このための密着方式として様々なものが存在する。特許文献１には戸当り面に当接する引戸の当接面が引戸の動線に対して所定の角度傾けられて設けられる方式の引戸型防音扉が記載されている。特許文献２には複数枚の引戸の閉位置において互いに噛み合う召し合せアングルに特徴を有する防音引戸ユニットが記載されている。
【先行技術文献】
【特許文献】
【０００４】
【特許文献１】特開２０１０−１２６９８０号公報
【特許文献２】特開平０７−２９３１２８号公報
【発明の概要】
【発明が解決しようとする課題】
【０００５】
しかしながら、特許文献１の方式では、引戸の開閉動作に対して垂直方向の移動成分を持たせるための機構が必要で構成が複雑となり、開閉動作の容易性にも問題がある。また、特許文献２の方式では、防音上問題となる扉の上辺及び下辺側のシール性が十分に考慮されていないという問題がある。このように、一般に引戸型の防音扉では機構の複雑性、操作の煩雑さが密閉性自体とともに常に問題となってきた。
【０００６】
本発明は上記課題を解決し、簡単な構成で操作性に優れ、高い防音性を有する引戸型防音扉を提供することを課題とする。
【課題を解決するための手段】
【０００７】
上記課題を解決するために、請求項１の発明は、引戸型の防音扉であって、扉本体の上辺の天井面に取り付けられ、扉本体の開閉方向の後尾部分から先頭部分に近づくにつれて、鉛直方向の厚さが減少するようにくさび状をなした第１のゴムシールと、第１のゴムシールに対向して扉の固定枠部に配設され、扉本体の開位置から閉位置に近づくにつれて、第１のゴムシールとの当接面が扉本体の上辺に接近する方向に傾いて第１のゴムシールと同一の傾斜角のくさび状をなす第１のシール面と、扉本体の下辺に沿った一方の側面に取り付けられ、扉本体の開閉方向の後尾部分から先頭部分に近づくにつれて、水平方向の厚さが減少するようにくさび状をなした第２のゴムシールと、第２のゴムシールに対向して扉の固定枠部に配設され、扉本体の開位置から閉位置に近づくにつれて、第２のゴムシールとの当接面が扉本体の下辺に沿った側面に接近する方向に傾いて第２のゴムシールと同一の傾斜角のくさび状をなす第２のシール面を備え、扉本体の閉位置において、第１のゴムシールと第１のシール面が当接して密着し、第２のゴムシールと第２のシール面が当接して密着することを特徴とする。
請求項２の発明は、さらに、扉本体の下辺に沿った両側の側面の各々一方に１つずつ取り付けられ、扉本体の開閉方向の後尾部分から先頭部分に近づくにつれて、水平方向の厚さが減少するようにくさび状をなした２か所の第２のゴムシールと、第２のゴムシールの各々に対向して扉の固定枠部に各々配設され、扉本体の開位置から閉位置に近づくにつれて、２か所の第２のゴムシールとの当接面が扉本体の下辺に沿った両側面に接近する方向に傾いて２か所の第２のゴムシールの各々と同一の傾斜角のくさび状をなす２か所の第２のシール面を備えることを特徴とする。
【発明の効果】
【０００８】
本発明により、扉の本体の面に垂直な力を加える等の操作を不要とし、本来の開閉方向の力を加えるだけで容易に開閉が行え、高い防音性が得られる引戸型防音扉が提供される。
【図面の簡単な説明】
【０００９】
【図１】本発明の防音扉の第１の実施形態を示す全体図であり、（ａ）は正面図、（ｂ）は扉本体部の横断面図、（ｃ）は同縦断面図である。
【図２】第１の実施形態の扉本体部の縦断面図である。
【図３】第１の実施形態の扉本体部の横断面図である。
【図４】第１の実施形態のゴムシール部の組立図である。
【図５】第１の実施形態のゴムシール受け金物とゴムシールの組立要領を示す図である。
【図６】ゴムシールのコーナー部の構成の第１の実施例を示す図である。
【図７】ゴムシールのコーナー部の構成の第２の実施例を示す図である。
【発明を実施するための形態】
【００１０】
以下に、本発明の第１の実施形態について図を用いて説明する。
まず、本実施形態の構成について説明する。
図１〜３に示すように、本実施形態の引戸型の防音扉は、扉本体１の上辺１ａの天井面１ｅに取り付けられ、扉本体１の開閉方向の後尾側の辺１ｄから先頭側の辺１ｃに近づくにつれて、鉛直方向の厚さＨが減少するようにくさび状をなした第１のゴムシール３ａと、第１のゴムシール３ａに対向して扉の固定枠部２に配設され、扉本体１の開位置から閉位置に近づくにつれて、第１のゴムシール３ａとの当接面が扉本体１の上辺１ａに接近する方向に傾いて第１のゴムシールと同一の傾斜角のくさび状をなす第１のシール面２ａと、扉本体１の下辺１ｂに沿った廊下側の側面１ｆに取り付けられ、扉本体１の開閉方向の後尾側の辺１ｄから先頭側の辺１ｃに近づくにつれて、水平方向の厚さＤが減少するようにくさび状をなした第２のゴムシール３ｂと、第２のゴムシール３ｂに対向して扉の固定枠部２に配設され、扉本体１の開位置から閉位置に近づくにつれて、第２のゴムシール３ｂとの当接面が扉本体１の下辺１ｂに沿った廊下側の側面１ｆに接近する方向に傾いて第２のゴムシールと同一の傾斜角のくさび状をなす第２のシール面２ｂとを備え、扉本体１の閉位置において、第１のゴムシール３ａと第１のシール面２ａが当接して密着し、第２のゴムシール３ｂと第２のシール面２ｂが当接して密着する構成となっている。なお、固定枠部２に配設される各シール面は全て金属面により構成される。
【００１１】
上記構成についてさらに詳しく説明する。
図２に示すように、扉本体１の上辺１ａの天井面１ｅには第１のゴムシール３ａが取り付けられている。第１のゴムシール３ａは厚さ方向の寸法Ｈが扉本体１の前進側へ行くほど順次小さくなるように上面３ｅが水平面に対して一定の傾斜角度をなして構成されている。
これに対して、第１のゴムシール３ａに当接する扉の固定枠部２の第１のシール面２ａも第１のゴムシール３ａの上面と同一の傾斜角で傾斜している。
【００１２】
さらに、扉本体１の下辺１ｂの側面１ｆには第２のゴムシール３ｂが取り付けられている。第２のゴムシール３ｂは厚さ方向の寸法Ｄが扉本体１の前進側へ行くほど順次小さくなるように側面３ｆが扉本体１の鉛直面に対して一定の傾斜角度をなして構成されている。
これに対して、第２のゴムシール３ｂに当接する扉の固定枠部２の第２のシール面２ｂも第２のゴムシール３ｂの側面と同一の傾斜角で傾斜している。
【００１３】
次に、扉本体１の残りのシール部である扉本体１の先頭側の辺１ｃと後尾側の辺１ｄのシール機構について説明する。
図３に示すように、扉本体１の閉動作により先頭側の辺１ｃが固定枠部２に押し付けられることで第３のゴムシール３ｃと第３のシール面２ｃ、及び第４のゴムシール３ｄと第４のシール面２ｄがそれぞれ密着する機構を採用し、防音性を保つ構成としている。
【００１４】
すなわち、扉本体１の閉状態では第３のゴムシール３ｃは、固定枠部２の第３のシール面２ｃと密着する構成となっている。また、第４のゴムシール３ｄは固定枠部２の第４のシール面２ｄと密着する構成となっている。これらの部分のシール機構としては、扉本体１の閉動作の力の方向が各シール部を密着させる方向と一致しているため、当然ながら上記のようなシール面に傾斜角を持たせる機構は必要とされない。
【００１５】
なお、本実施形態ではさらに、先頭側の辺１ｃに第５のシール面２ｅを配設し、これに当接する固定枠部２に第５のゴムシール３ｅを配設するとともに、後尾側の辺１ｄに第６のシール面２ｆを配設し、これに当接する固定枠部２に第６のゴムシール３ｆを配設している。
【００１６】
扉本体１に取り付けられる各ゴムシール３ａ〜３ｄは図４に示すように、コーナー用シール３ｇと直線部用シール３ｈとに分割されて構成されており、図５に示すゴムシール受け金物１ｇの取付け溝１ｈにコーナー用シール３ｇを挿入し、さらに直線部用シール３ｈの挿入穴（不図示）にコーナー用シール３ｇの挿入部３ｉを挿入することで組み立てられる。ゴムシールとしては、図４に示すようにスポンジゴム３ｊと、シール面の反対側にマグネットのついたマグタイト３ｋの２種類を組み合わせて用いている。
【００１７】
ゴムシールのコーナー部としては、図４〜図６に示すようなＬ字形のスポンジゴム３ｊの各辺からマグネットの挿入部３ｉを突出させた構成や、図７に示すようなコーナーのスポンジゴム３ｊに直接マグタイト３ｋが各辺方向に接続され、マグタイト３ｋからマグネットの挿入部３ｍを突出させた構成のいずれかを採用すればよい。
【００１８】
次に、本実施形態の機能について説明する。
本実施形態の防音扉は、扉本体１を開状態から前進させて閉状態にすると、扉本体１の上辺１ａの天井面１ｅに設けられた第１のゴムシール３ａが扉の固定枠部２に配設される第１のシール面２ａに密着する。これは、第１のゴムシール３ａと第１のシール面２ａとが同一の傾きの傾斜面となっており、扉本体１の前進側へ行くほど第１のゴムシール３ａの上下方向の厚さと、第１のシール面２ａと天井面１ｅとの間のスペースが小さくなるように構成されているため、扉本体１を前進させて開状態から閉状態に移動させる際、くさびの効果により小さな前進方向の力で大きな上下方向の押し付け力が発生するからである。
【００１９】
同様に、扉本体１を開状態から前進させて閉状態にすると、扉本体１の下辺１ｂの側面１ｆに設けられた第２のゴムシール３ｂが扉の固定枠部２に配設される第２のシール面２ｂに密着する。これも上記と同様に、第２のゴムシール３ｂと第２のシール面２ｂとが同一の傾きの傾斜面となっており、扉本体１の前進側へ行くほど第２のゴムシール３ｂの水平方向の厚さと、第２のシール面２ｂと側面面１ｆとの間のスペースが小さくなるように構成されているため、扉本体１を前進させて開状態から閉状態に移動させる際、くさびの効果により小さな前進方向の力で大きな水平方向の押し付け力が発生するからである。
【００２０】
なお、上記くさびの効果により上下方向及び水平方向の押し付け力を発生させるために、特に図示しないが、扉本体１の開閉動作における扉本体１の上下方向及び水平方向（進行左右方向）の位置ずれ（がた）を固定枠部２との関係で所定の寸法以内に抑える構成としている。
【００２１】
また、扉本体を閉状態から後退させて開状態にする際、強く密着していた第１のゴムシール３ａと第１のシール面２ａ、及び第２のゴムシール３ｂと第２のシール面２ｂはそれらの密着力と比較して小さな水平方向の力で、しかも短い距離を移動させるだけで容易に引き離すことができる。これもくさびの効果によるものである。
【００２２】
本実施形態の防音扉では上記のように、扉本体の水平方向の動作のみで、また、扉本体に小さな水平力を加えるだけで、容易に閉状態まで移動させることができ、扉本体と固定枠部との高い密着性が得られる。また、扉本体を閉状態から開状態に移行させる場合も同様に、扉本体の水平方向の動作のみで、また、扉本体に小さな水平力を加えるだけで、開状態まで移動させることができる。すなわち、本実施形態においては、シール性つまり防音性と、操作の容易性とが両立し、しかも、極めて簡単な構成によりこれらが実現している。これは、従来の防音扉では得られなかった効果であり、本実施形態の大きな特徴である。従来の防音扉においてはシール性の向上のために扉の開閉方向と垂直方向の力を扉に加えるべく、複雑な機構を採用したり、手間や力を要する開閉動作を強いられたりするものが多かったのである。本実施形態ではくさび機構の採用により上記問題点を解消し、単純な構成で高い防音性と操作の容易性とを共に実現させている。
【００２３】
次に、第２の実施形態について説明する。
本実施形態では、上記の第１の実施形態の内、扉本体の下辺に沿った廊下側の側面のゴムシール及びこれに対抗する固定枠部のシール面が扉本体のルーム側の側面にも配設（不図示）されている。すなわち、扉本体の下辺に沿った両側の側面の各々一方に１つずつ取り付けられ、扉本体の開閉方向の後尾部分から先頭部分に近づくにつれて、水平方向の厚さが減少するようにくさび状をなした２か所の第２のゴムシール３ｂと、これら各々の第２のゴムシール３ｂに対向して扉の固定枠部２に各々配設され、扉本体１の開位置から閉位置に近づくにつれて、２か所の第２のゴムシール３ｂの各々との当接面が扉本体の下辺に沿った両側面に両側から接近する方向に傾いて２か所の第２のゴムシール３ｂの各々と同一の傾斜角のくさび状をなす２か所の第３のシール面２ｂとを備えることを特徴とする。
これにより、本実施形態では扉本体の下辺におけるシール性がさらに向上し、防音効果をさらに高めることができる。
【符号の説明】
【００２４】
１  扉本体
１ａ  上辺
１ｂ  下辺
１ｃ  先頭側の辺
１ｄ  後尾側の辺
１ｅ  天井面  
１ｆ  側面
１ｇ  ゴムシール受け金物
１ｈ  取付け溝
２  固定枠部
２ａ  第１のシール面
２ｂ  第２のシール面
２ｃ  第３のシール面
２ｄ  第４のシール面
２ｅ  第５のシール面
２ｆ  第６のシール面
３ａ  第１のゴムシール
３ｂ  第２のゴムシール
３ｃ  第３のゴムシール
３ｄ  第４のゴムシール
３ｅ  第５のゴムシール    
３ｆ  第６のゴムシール
３ｇ  コーナー用シール
３ｈ  直線部用シール
３ｉ、３ｍ  挿入部
３ｊ  スポンジゴム
３ｋ  マグタイト
【図１】
2015010383.tif 000003
【図２】
2015010383.tif 000004
【図３】
2015010383.tif 000005
【図４】
2015010383.tif 000006
【図５】
2015010383.tif 000007
【図６】
2015010383.tif 000008
【図７】
2015010383.tif 000009